(57)【要約】  手術器具、特に眼科用手術器具が開示される。手術器具の例は、内境界膜（ＩＬＭ）の除去のための鉗子を含む。鉗子の例は、鉗子ジョーの遠位端に形成されたテクスチャ面を含むことができる。テクスチャ面は、鉗子により加えられる、ＩＬＭに係合するために必要な垂直力を低減させるために、ＩＬＭと鉗子との間の摩擦係数を増大させるように作用する、複数のマイクロポストを有することができる。
2019530543.tif 000002
【特許請求の範囲】
【請求項１】
手術用鉗子であって、
身体の組織に係合する鉗子ジョーであって、表面を有する鉗子ジョーと、
前記表面において第１の方向に形成された第１のパターンのトレースであって、前記第１のパターンのトレースの隣接するトレースの間の第１の間隔が、約５．５μｍ〜１５μｍの範囲内にある、第１のパターンのトレースと、
前記表面において前記第１の方向とは異なる第２の方向に形成された第２のパターンのトレースであって、前記第２のパターンのトレースの隣接するトレースの間の第２の間隔が、約５．５μｍ〜１５μｍの範囲内にあり、前記第１のパターンのトレースおよび前記第２のパターンのトレースはマイクロポストのアレイを画定し、前記マイクロポストのアレイの前記マイクロポストが、３μｍ〜１０μｍの範囲内の高さを有する、第２のパターンのトレースと、
を備える手術用鉗子。
【請求項２】
前記マイクロポストのアレイの前記マイクロポストのうちの１つまたは複数が、前記鉗子ジョーの前記表面に対して２０°〜５５°の範囲内の角度で傾斜している、請求項１に記載の手術用鉗子。
【請求項３】
前記マイクロポストのアレイの前記マイクロポストのうちの１つまたは複数が、３０°〜４５°の範囲内の角度で傾斜している、請求項２に記載の手術用鉗子。
【請求項４】
前記マイクロポストのアレイの前記マイクロポストが、３．５μｍ〜７μｍの範囲内の高さを有する、請求項１に記載の手術用鉗子。
【請求項５】
前記第１のパターンのトレースおよび前記第２のパターンのトレースの前記トレースの幅が、約２μｍである、請求項１に記載の手術用鉗子。
【請求項６】
前記マイクロポストがテーパ状である、請求項１に記載の手術用鉗子。
【請求項７】
前記表面が、前記鉗子ジョーの遠位面である、請求項１に記載の手術用鉗子。
【請求項８】
前記鉗子ジョーが縁部を画定するチップを備え、前記第１のパターンのトレースが、前記縁部に対して実質的に平行であり、前記第２のパターンのトレースが、前記縁部に対して実質的に垂直である、請求項１に記載の手術用鉗子。
【請求項９】
手術用鉗子にテクスチャ面を形成する方法であって、
前記手術用鉗子の鉗子ジョーの表面に沿って、第１の方向に第１のパターンのトレースを形成するステップであって、前記第１のパターンのトレースの隣接するトレースの間の第１の間隔が、約５．５μｍ〜１５μｍの範囲内にある、ステップと、
前記表面において、前記第１の方向とは異なる第２の方向に第２のパターンのトレースを形成するステップであって、前記第２のパターンのトレースの隣接するトレースの間の第２の間隔が、約５．５μｍ〜１５μｍの範囲内にあり、前記第１のパターンのトレースおよび前記第２のパターンのトレースはマイクロポストのアレイを画定し、前記マイクロポストが、３μｍ〜１０μｍの範囲内の高さを有する、ステップと、
を含む方法。
【請求項１０】
前記マイクロポストのアレイの前記マイクロポストのうちの１つまたは複数が、前記鉗子ジョーの前記表面に対して２０°〜５５°の範囲内の角度で傾斜して形成される、請求項９に記載の方法。
【請求項１１】
前記マイクロポストのアレイの前記マイクロポストのうちの１つまたは複数が、３０°〜４５°の範囲内の角度で傾斜する、請求項１０に記載の方法。
【請求項１２】
前記マイクロポストのアレイの前記マイクロポストが、３．５μｍ〜７μｍの範囲内の高さを有する、請求項９に記載の方法。
【請求項１３】
前記第１のパターンのトレースおよび前記第２のパターンのトレースの前記トレースの幅が、約２μｍである、請求項９に記載の方法。
【請求項１４】
前記マイクロポストがテーパ状である、請求項９に記載の方法。
【請求項１５】
前記鉗子ジョーが鉗子ジョーであり、前記表面が、前記鉗子ジョーの遠位面である、請求項９に記載の方法。
【請求項１６】
前記鉗子ジョーが縁部を画定するチップを備え、前記第１のパターンのトレースが、前記縁部に対して実質的に平行であり、前記第２のパターンのトレースが、前記縁部に対して実質的に垂直である、請求項９に記載の方法。
【発明の詳細な説明】
【技術分野】
【０００１】
本開示は、手術器具に関し、特に、下にある組織に対する損傷を回避するように膜の把持を改善するテクスチャ面を有する手術器具に関する。
【発明の概要】
【課題を解決するための手段】
【０００２】
一態様によれば、本開示は、身体の組織に係合する係合部材を含む手術器具について記載する。係合部材は、表面を有することができる。手術器具はまた、表面において第１の方向に形成された第１の複数のトレース、および表面において第１の方向とは異なる第２の方向に形成された第２の複数のトレースも含むことができる。第１の複数のトレースの隣接するトレースの間の第１の間隔は、約５．５μｍ〜１５μｍの範囲内であり得る。第２の複数のトレースの隣接するトレースの間の第２の間隔は、約５．５μｍ〜１５μｍの範囲内であり得る。第１の複数のトレースおよび第２の複数のトレースは、マイクロポストのアレイを画定することができる。マイクロポストのアレイのマイクロポストは、３μｍ〜１０μｍの範囲内の高さを有することができる。
【０００３】
本開示の別の態様は、手術器具にテクスチャ面を形成する方法を含む。本方法は、手術器具の係合部材の表面に沿って、第１の方向に第１の複数のトレースを形成するステップと、上記表面において第１の方向とは異なる第２の方向に第２の複数のトレースを形成するステップとを含むことができる。第１の複数のトレースの隣接するトレースの間の第１の間隔は、約５．５μｍ〜１５μｍの範囲内であり得る。第２の複数のトレースの隣接するトレースの間の第２の間隔は、約５．５μｍ〜１５μｍの範囲内であり得る。第１の複数のトレースおよび第２の複数のトレースはマイクロポストのアレイを画定することができる。マイクロポストは、３μｍ〜１０μｍの範囲内の高さを有することができる。
【０００４】
さまざまな態様は、以下の特徴のうちの１つまたは複数を有することができる。マイクロポストのアレイのマイクロポストのうちの１つまたは複数は、係合部材の表面に対して２０°〜５５°の範囲内の角度で傾斜させることができる。マイクロポストのアレイのマイクロポストのうちの１つまたは複数は、３０°〜４５°の範囲内の角度で傾斜させることができる。マイクロポストのアレイのマイクロポストは、３．５μｍ〜７μｍの範囲内の高さを有することができる。第１の複数のトレースおよび第２の複数のトレースのトレースの幅は、約２μｍであり得る。マイクロポストはテーパ状であり得る。係合部材は鉗子ジョーとすることができ、表面は、鉗子ジョーの遠位面であり得る。係合部材は、縁部を画定するチップを含むことができる。第１の複数のトレースは、縁部に対して実質的に平行とすることができ、第２の複数のトレースは、縁部に対して実質的に垂直とすることができる。係合部材は、縁部を画定するチップを含むことができ、第１の複数のトレースおよび第２の複数のトレースは、縁部に対して斜めであり得る。
【０００５】
上述した全体的な説明および以下の詳細な説明はともに、本質的に例示的かつ説明的であり、本開示の範囲を限定することなく本開示が理解されるように意図されている、ということが理解されるべきである。それに関して、本開示のさらなる態様、特徴および利点は、当業者であれば以下の詳細な説明から明らかとなろう。
【図面の簡単な説明】
【０００６】
【図１】網膜に付着している内境界膜と係合した従来の鉗子を示す。
【図２】内境界膜と係合した鉗子ジョーの遠位端に形成されているテクスチャ面を有する鉗子例を示す。
【図３】図２に示す鉗子の鉗子ジョーの遠位端を示す。
【図４】図３に示す鉗子ジョーの遠位端に形成されているテクスチャ面の詳細図である。
【図５】テクスチャ面を形成する隣接するトレースの間の間隔距離を示す。
【図６】テクスチャ面のマイクロポストを示すテクスチャ面の断面図である。
【図７−８】異なる表面パターンを有するテクスチャ面例を示す。
【図９】遠位端において上に形成されたテクスチャ面を有する別の鉗子ジョー例を示す。
【図１０】図９に示す表面テクスチャの詳細図である。
【図１１】鉗子の遠位端のテクスチャ面に配置された角錐状マイクロポストの詳細図を示す。
【発明を実施するための形態】
【０００７】
本開示の原理の理解を促進する目的で、ここで、図面に示す実装形態を参照し、具体的な用語を用いてそうした実装形態について説明する。しかしながら、本開示の範囲の限定は意図されていないことが理解されよう。記載する装置、器具、方法に対する任意の改変およびさらなる変更、ならびに本開示の原理の任意のさらなる応用は、本開示が関連する技術分野における当業者であれば通常想到するように、完全に企図されている。特に、一実装形態に関して記載する特徴、構成要素および／またはステップは、本開示の他の実装形態に関して記載する特徴、構成要素および／またはステップと組み合わせることができることが、完全に企図されている。
【０００８】
本説明は、マイクロ手術処置のための手術用鉗子に関して行う。特に、本説明は、膜の非外傷性係合および剥離のためのテクスチャ面を有する手術用鉗子、より詳細には、眼科手術処置で使用されるテクスチャ面を有する手術用鉗子に関する。しかしながら、本開示の範囲は、そのように限定されない。むしろ、本明細書に記載する表面テクスチャは、眼科学内外両方における医療分野で使用される他のタイプの手術器具に適用することができる。したがって、眼科手術用鉗子に関して行う本説明は、単に一例として提供するものであり、限定するようには意図されていない。
【０００９】
図１は、内境界膜（ＩＬＭ）１２を除去しようとしている過程にある従来の鉗子１０を示し、ＩＬＭ１２は、網膜１４の上に形成され、眼内で硝子体液から網膜を分離する、膜である。従来、ＩＬＭを除去するためには、執刀医等の使用者は、網膜１４に対して鉗子１０を押圧し（すなわち、網膜１４の表面に対して垂直な力）、その後、鉗子ジョー１８のチップ１６の間にＩＬＭ１２の一部を捕捉するために鉗子を閉鎖するように閉鎖力を加える。網膜１４に加えられる垂直力により、図１に示すように、網膜内にくぼみ１７がもたらされる。鉗子１０を介して網膜１４に加えられる垂直力により、鉗子１０とＩＬＭ１２との間に摩擦力が生成される。垂直力の増大により、関連する摩擦力が増大する。摩擦力は、ＩＬＭ１２内にフラップを形成するために生成される。そして、フラップを用いて、鉗子１０の使用によりＩＬＭ１２が除去される。鉗子１０によりかけられる垂直力が大きすぎる場合、網膜１４に対して意図されない損傷がもたらされる可能性がある。また、垂直力が大きすぎたか、または鉗子チップ１６間の距離が大きすぎた場合、鉗子ジョー１８の閉鎖により、鉗子チップ１６の間の下にある網膜の一部を捕捉するリスクがあった。網膜１４をはさむことにより、網膜１４に対する損傷のリスクもある。この損傷は、ＩＬＭ１２の剥離を開始するために鉗子を引っ張ることにより、さらに悪化する。網膜１４の一部もまた鉗子１０によって把持された状態で、剥離作用により、網膜１４がさらに傷つけられ、網膜裂傷がもたらされる可能性がある。
【００１０】
図２は、本開示の範囲内の例としての鉗子２０を示す。鉗子２０は、たとえば図３および図４に示す複数の表面特徴から形成されたテクスチャ面３０を含む。図示する例では、テクスチャ面３０は、鉗子ジョー２８の遠位面３２内にかつそれに沿って形成されている。テクスチャ面３０は、より高い摩擦係数を提供することにより、鉗子１０とＩＬＭ１２との間の摩擦を増大させる。より高い摩擦係数により、ＩＬＭ１２と係合するために必要な垂直力が低減する。垂直力の低減の結果として、網膜１４およびＩＬＭ１２に形成されるくぼみが低減する。鉗子２０のジョー２８によってかけられる垂直力の低減により、網膜１４に対する損傷のリスクが低減する。ＩＬＭ１２に加えられる垂直力が低下し、対応して、網膜１４およびＩＬＭ１２に形成されるくぼみが低減することにより、鉗子ジョー２８のチップ２６の間に網膜１４の一部を捕捉するリスクもまた低減し、それにより、鉗子ジョー２８が閉鎖され、かつＩＬＭ１２の剥離が開始されるときの網膜１４に対する損傷のリスクもまた低減する。
【００１１】
図４は、図３に示すテクスチャ面３０の拡大像である。テクスチャ面３０は、複数の表面特徴またはマイクロポスト３４を含む。図示する例では、マイクロポスト３４は、鉗子ジョー２８の遠位面３２にレーザエネルギーを印加することにより形成される。テクスチャ面３０は、鉗子２０とＩＬＭ１２との間の摩擦係数を増大させるように作用する。結果として、鉗子２０によりＩＬＭ１２を把持するために必要な垂直力のサイズが低減する。したがって、執刀医等の使用者が、ＩＬＭ１２に係合するために鉗子２０によりＩＬＭ１２および網膜１４に加える垂直力を、より低くすることができる。したがって、網膜１４に対する損傷のリスクが低減する。
【００１２】
図５は、マイクロポスト３４に対して垂直なテクスチャ面３０の図であり、鉗子ジョー２８のチップ２６によって画定される縁部５０を示す。図５は、遠位面３２に形成された複数のレーザカット部またはトレース３６および４２を示す。複数のレーザトレース３６および４２は、マイクロポスト３４のアレイを画定する。いくつかの実装形態では、レーザトレース４２を形成するために使用されるレーザビームは、鉗子ジョー２８の遠位面３２に対して垂直であるかまたは実質的に垂直であり得る。これに関して、「実質的に垂直な」という用語は、たとえば、レーザ源の固定位置および遠位面３２の曲率によるばらつき、遠位面３２のばらつき、レーザ源の位置合せ不良、ならびにレーザトレース４２を形成するときにレーザビームの移動を制御するために使用される標的および方向づけシステムの変動による、遠位面３２に対して垂直であることからの入射レーザビームの変動を考慮することができる。
【００１３】
図６は、線ＡＡに沿った、マイクロポスト３４を輪郭で示す、テクスチャ面３０の断面図を示す。テクスチャ面３０が形成される遠位面３２を点線として示す。トレース３６を形成するために使用されるレーザビームは、遠位面３２に角度αで入射することができる。いくつかの実装形態では、フェムト秒またはピコ秒レーザを使用することができる。さらに、いくつかの実装形態では、レーザは、ソリッドステートレーザであり得る。角度αは、遠位面３２に対して測定される。いくつかの実装形態では、角度αは、９０°が遠位面３２に対して垂直である場合、１０°〜９０°の範囲内であり得る。いくつかの実装形態では、角度αは、２０°〜７０°、２０°〜５５°、３０°〜６０°、４０°〜５０°、２０°〜５０°または３０°〜４５°の範囲内であり得る。図６に示すように、マイクロポスト３４が、トレース３６の角度αの結果としての角度で示されていることに加えて、図示するマイクロポスト３４はまた、テーパ状輪郭も有する。したがって、マイクロポスト３４の断面サイズは、基部４１において、すなわち、マイクロポスト３４が鉗子ジョー２８に取り付けられている位置において相対的に大きく、端部４３に向かって低減する。図６は、マイクロポスト３４のすべてが同じ角度で入射するように示すが、開示の範囲はそのように限定されない。むしろ、他の実装形態では、マイクロポスト３４のうちの１つまたは複数の角度αは、１つまたは複数の他のマイクロポスト３４とは異なる場合もある。
【００１４】
図６に示す例が図示するように、角度αにより、マイクロポスト３４はチップ２６に向かって傾斜する。しかしながら、本開示の範囲はそのように限定されない。したがって、他の実装形態では、マイクロポスト３４は、チップ２６に対して任意の方向に傾斜することができる。さらに、他の実装形態では、マイクロポスト３４のうちの１つまたは複数は、１つまたは複数の他のマイクロポスト３４とは異なる方向に含めることができる。
【００１５】
トレース３６の谷部４５から測定され、かつ谷部４５を通過する表面により画定される有効面４７から垂直に測定されるマイクロポスト３４の高さＨ。いくつかの実装形態では、高さＨは、３μｍ〜１０μｍであり得る。他の実装形態では、高さＨは、３．５μｍ〜１０μｍであり得る。他の実装形態では、高さＨは、３．０〜７μｍ、３．５μｍ〜７μｍ、または５μｍ〜７μｍであり得る。さらに他の実装形態では、マイクロポスト３４の高さＨは、３μｍより小さくまたは１０μｍより大きくすることができる。さらに、マイクロポスト３４の高さＨは、テクスチャ面３０を横切って変化させることができる。
【００１６】
いくつかの実装形態では、マイクロポスト３４は、たとえば図１１に示すように、四角錐形状を有する。図１１は、チップ２６に近接して鉗子ジョー２８の遠位テクスチャ面に形成されたマイクロポスト３４を示す。図１１は、明確にする目的で単一の角錐マイクロポスト３４を示すが、鉗子ジョー２８の遠位テクスチャ面に複数の角錐マイクロポスト３４が形成されることが理解されるべきである。
【００１７】
図示するように、角錐マイクロポスト３４は、前壁２００、後壁２１０および２つの側壁２２０を含む４つの壁を含む。図１１の例は、斜めに形成された角錐マイクロポスト３４を示す。この例では、前壁２００は、鉗子ジョー２８のチップ２６の方に向けられ、後側２１０は、鉗子ジョー２８のチップ２６から離れる方向に向けられている。壁２００、２１０および２２０は、基部２３０から先端２４０までテーパ状である。角錐マイクロポスト３４は、たとえば図６に示すように斜角で、または、たとえば図９および図１０に示すように非斜角で形成することができる。場合により、角錐マイクロポスト３４の側面（したがって、マイクロポスト３４自体）は、レーザフォーミング中のアブレーションによる鉗子ジョー２８の材料の除去の結果として形成される。他の場合では、角錐マイクロポスト３４の壁は、研削、エッチング、または他のタイプの適用可能な成形方法により形成することができる。
【００１８】
角錐マイクロポスト３４の壁２００、２１０および２２０は、基部２３０によって画定される平面に対して角度をなして配置される。場合により、基部２３０におけるマイクロポスト３４の長さＫは、７μｍ〜１３μｍの範囲内であり得る。マイクロポスト３４の幅Ｍは、７μｍ〜１３μｍの範囲内であり得る。場合により、マイクロポスト３４のうちの１つまたは複数の長さＫは、幅Ｍより大きくすることができる。他の場合では、マイクロポスト３４のうちの１つまたは複数の長さＫは、幅Ｍより小さくすることができる。さらに他の場合では、マイクロポスト３４のうちの１つまたは複数の長さＫは、幅Ｍと同じであり得る。いくつかの実装形態では、（図６における向きで示されているような）Ｈの高さは、３μｍ〜７μｍの範囲内であり得る。先端２４０は、１．０μｍ〜０．５μｍの範囲の（基部２３０によって画定される平面に対して平行な平面により画定される先端２４０の断面において測定されるような）厚さを有することができる。先端２４０は、角錐マイクロポスト３４のその基部２３０における形状に概して対応する（マイクロポスト３４の基部２３０に平行な平面に沿った）断面形状を有することができる。したがって、先端２４０の厚さは、先端２４０において測定された寸法ＫまたはＭであり得る。実際問題として、本開示により企図される尺度では、先端２４０の寸法ＫおよびＭは、いくつかの実装形態では、明確に識別可能ではない可能性がある。したがって、先端２３０の厚さは、先端２３０の最大寸法であり得る。
【００１９】
角錐マイクロポストを示すが、本開示の範囲はそのように限定されない。むしろ、他の実装形態では、マイクロポストは、マイクロポストの全長に沿って一定の断面を有する円筒形状を有することができる。さらに、他の実装形態では、（マイクロポストの基部に対して平行な平面に沿った）マイクロポストの断面形状は、円形、多角形、もしくは矩形、正方形、または他の任意の所望の形状であり得る。
【００２０】
本開示のマイクロポスト３４が、特に角錐形態である場合、マイクロポスト３４の先端２４０は、ＩＬＭ等の膜を、その除去に役立つように貫通することが考えられる。
【００２１】
再び図５を参照すると、マイクロポスト３４の基部４１の近くのテクスチャ面の断面図が示されている。レーザトレース３６および４２の幅は、約２μｍ〜３０μｍの範囲内であり得る。いくつかの実装形態では、レーザカット部３６および４２の幅は、２μｍ〜１０μｍの範囲内であり得る。さらに他の実装形態では、レーザカット部３６および４２のうちの１つまたは複数の幅は、１つまたは複数の他のレーザカット部３６および４２とは異なり得る。したがって、いくつかの実装形態では、１つまたは複数のレーザカット部３６の幅は、１つまたは複数の他のレーザカット部３６の幅より大きくするかまたは小さくすることができる。同様に、１つまたは複数のレーザカット部４２の幅は、１つまたは複数の他のレーザカット部４２の幅より大きくするかまたは小さくすることができる。
【００２２】
図５に示すように、幅Ｗ１は、隣接するトレース３６の間の距離を画定し、幅Ｗ２は、隣接するトレース４２の間の距離を画定する。いくつかの実装形態では、幅Ｗ１およびＷ２は、２μｍ〜１５μｍの範囲内、または２μｍ〜１０μｍの範囲内であり得る。他の実装形態では、幅Ｗ１およびＷ２は、２μｍ〜７μｍの範囲内であり得る。他の実装形態では、幅Ｗ１およびＷ２は、２μｍ〜５μｍの範囲内であり得る。いくつかの実装形態では、幅Ｗ１およびＷ２は、互いに異なり得る。すなわち、場合により、マイクロポスト３４の幅Ｗ１は、幅Ｗ２より大きくするかまたは小さくすることができる。さらに、マイクロポスト３４の断面サイズは、テクスチャ面３０に沿って変化させることができる。したがって、場合により、マイクロポスト３４のうちの１つまたは複数は、幅Ｗ２と同じである幅Ｗ１を有することができ、１つまたは複数の他のマイクロポスト３４は、幅Ｗ２とは異なる幅Ｗ１を有することができる。したがって、マイクロポスト３４のサイズは、テクスチャ面３０に沿って変化させることができる。
【００２３】
マイクロポスト３４の基部４１の近くで、マイクロポスト３４は、Ｚ１およびＺ２の断面寸法を有することができる。寸法Ｚ１およびＺ２は、幅Ｗ１および幅Ｗ２に実質的に対応することができるが、レーザトレース自体の幅の結果として低減する可能性がある。したがって、いくつかの実装形態では、寸法Ｚ１および／またはＺ２のサイズは、３μｍ〜１０μｍ、４μｍ〜９μｍまたは５μｍ〜８μｍの範囲内であり得る。これらの範囲は、単に例として提供される。したがって、他の実装形態では、寸法Ｚ１およびＺ２は、３μｍより小さくするかまたは１０μｍより大きくすることができる。寸法Ｚ１およびＺ２のサイズは、任意の所望のサイズであるように選択することができる。
【００２４】
図５は、レーザトレース３６および４２によって形成される直交格子パターンを示す。図５に示すように、トレース３６は、縁部５０に対して平行であるか、または実質的に平行であり得る。トレース３６は、たとえば、製造におけるばらつき、または製造中にもたらされる可能性がある小さい位置合せ不良による、トレース３６または縁部５０の向きのわずかな変動のために、縁部５０に対して実質的に平行であると述べることができる。たとえば、場合により、レーザトレース３６を形成するために使用されるレーザは、平行な向きが意図されているが、トレース３６は縁部５０とわずかな角度を形成する可能性があるように、鉗子２０と位置がずれる可能性がある。また、チップ２６の形成により、チップ２６が、結果としてのトレース２６に対してわずかに平行でなくなることになる可能性がある。したがって、縁部２０とトレース３６との間の平行関係を意図することができるが、製造におけるばらつきにより、縁部３０の向きとトレース３６との間にわずかなずれがもたらされる可能性がある。
【００２５】
しかしながら、本開示の範囲はそのように限定されない。むしろ、鉗子ジョー２８の遠位面３２に任意のパターンを形成することができる。図７および図８は、鉗子ジョー２８の遠位面３２に形成することができるマイクロポスト３４の他のパターン例を示す。図７は、レーザトレース３６および４２が、チップ２６によって形成される縁部５０に対して斜めであるパターンを示す。図５に示しかつ上述した例と同様に、レーザトレース３６および４２は、幅Ｗ１および幅Ｗ２を有するマイクロポスト３４を形成する。場合により、トレース３６および４２は、幅Ｗ１およびＷ２が同じであるように選択することができる。他の場合では、幅Ｗ１およびＷ２は異なり得る。さらに、幅Ｗ１およびＷ２のうちの１つまたは複数は、サイズの異なるマイクロポスト３４をもたらすようにテクスチャ面３０に沿って変化させることができる。
【００２６】
図８は、レーザトレース３６および４２によって形成される別のパターン例を示す。この例では、トレース３６は、円形またはスカラップ形状であるが、トレース４２は直線状である。いくつかの実装形態では、トレース３６の間の間隔Ｓは等しくすることができる。他の場合では、間隔Ｓは、テクスチャ面３０にわたって変化させることができる。同様に、いくつかの実装形態では、トレース４２の間の幅Ｗ２は等しくすることができる。他の実装形態では、テクスチャ面３０は、異なる幅Ｗ２を有することができる。図７および図８は、テクスチャ面３０に形成することができるマイクロポスト３４のパターンの２つのさらなる例を示すが、本開示の範囲内に、他の任意の所望のパターンも含まれる。
【００２７】
図９および図１０は、別の例としての鉗子９０を示す。鉗子９０は、上述した鉗子２０と同様であり得る。しかしながら、鉗子ジョー９８の遠位面９６に形成されたテクスチャ面９４のマイクロポスト９２は、傾斜を有していない。すなわち、角度αは９０°である。また、上述した例としての鉗子２０と同様に、それぞれの隣接するレーザトレース１００および１０２の間の距離Ｗ１およびＷ２と、マイクロポスト９２のサイズＺ１およびＺ２ならびに高さＨとは、上述した範囲と同じ範囲を有することができる。
【００２８】
本開示は、鉗子に関して行っているが、本開示の範囲はそのように限定されない。むしろ、本明細書に記載するタイプのテクスチャ面は、たとえば、はさみ、スクレーパ、スパチュラ等、他のタイプの器具に適用することができ、使用することができる。さらに、本明細書に記載するようなテクスチャ面を有する器具は、他の医療または技術分野において使用することができる。
【００２９】
上述したさまざまな例は、レーザエネルギーを用いて表面特徴を形成することに関して記載している。しかしながら、本開示の範囲はそのように限定されない。むしろ、マイクロポストを形成するために他のプロセスを使用することができ、そうしたプロセスは本開示の範囲内にある。たとえば、材料を化学的に除去することにより、マイクロポストに対して化学エッチングを使用することもできる。マイクロポストを画定するために表面に対して除去される材料は、複数の谷または溝（まとめて「トレース」と呼ぶ）の形態であり得る。したがって、レーザトレースは、レーザエネルギーにより形成されるトレースに関して記載しているが、「トレース」という総称は、たとえば、器具の表面テクスチャおよび表面特徴を画定するために、器具の表面に形成される溝、切取部または谷について記載するために使用する。
【００３０】
他の実装形態では、トレースは、フォトリソグラフィを介して形成することができる。たとえば、場合により、フォトレジスト材料を使用すること等により、手術器具の一部に所望のパターンをマスクすることができる。フォトレジスト材料は、ポジ型フォトレジストまたはネガ型フォトレジストとすることができる。フォトレジスト材料は、エッチングすべきパターンを画定するために放射線（たとえば、紫外線または他の周波数の放射線）にさらすことができる。所望のパターンが画定されるようにフォトレジスト材料の一部を除去するために、マスクされた領域に化学溶液を施すことができる。マスクされた表面を洗い流すことができ、手術材料の表面をエッチングして所望のトポグラフィ、たとえばトレースを形成するために、パターンによって画定された露出面（すなわち、フォトレジストが存在しない領域）を有する手術器具の部分に、エッチング液を施すことができる。
【００３１】
いくつかの実装形態では、本開示の範囲内の手術器具は、全体としてまたは一部には、たとえば、鋼（たとえば、ステンレス鋼）、チタンまたは他の金属等の金属から、形成することができる。他の実装形態では、器具は、全体としてまたは一部には、ポリマーから形成することができる。たとえば、器具は、組織と接触するようになされる器具のチップ部分がポリマーから形成されているポリマーチップ器具であり得る。他の場合では、器具は、少なくとも一部にはガラスから形成することができる。本明細書に記載するタイプのテクスチャは、たとえば、化学エッチング（たとえば、フォトレジスト材料を使用することによる）、レーザエネルギー、研削、成形または他の方法により、ポリマーから形成された器具の表面に形成することができる。
【００３２】
当業者であれば、本開示により企図される実装形態は、上述した特定の例示的な実装形態に限定されないことが理解されよう。それに関して、例示的な実装形態を示し記載したが、上述した開示において、広範囲の変更、変形、組合せおよび置換が企図される。こうした変形は、上述したことに対して、本開示の範囲から逸脱することなく行うことができることが理解される。したがって、添付の特許請求の範囲は、広くかつ本開示と一貫するように解釈されることが適切である。
【図１】
2019530543.tif 000003
【図２】
2019530543.tif 000004
【図３】
2019530543.tif 000005
【図４】
2019530543.tif 000006
【図５】
2019530543.tif 000007
【図６】
2019530543.tif 000008
【図７】
2019530543.tif 000009
【図８】
2019530543.tif 000010
【図９】
2019530543.tif 000011
【図１０】
2019530543.tif 000012
【図１１】
2019530543.tif 000013
【国際調査報告】
2019530543.tif 000014
2019530543.tif 000015